(57)【要約】【課題】本発明は、新たな部材の追加は不要として、液体が掛った状態を放置したとしても、漏電事故等の発生を防止して、安全性および信頼性の向上を図れる医療機器を提供する。【解決手段】上下面１ａ，１ｂ、前後面１ｃ，１ｄおよび左右側面１ｅなどの各面がパネルで構成される筐体１と、この筐体の前後面パネルに取付けられ、内面に電気接点４を有する凹部５を備えた電源コネクタ３とを具備する医療機器である、たとえば内視鏡装置において、前記電源コネクタが取付けられる筐体の前後面パネルは、下端部よりも上端部が外方へ突出して斜め下方に傾斜し、面方向として斜め下方に向いている。【選択図】    図１
2004350760.tif 000002
【特許請求の範囲】
【請求項１】
上下面、前後面および左右側面などの各面がパネルで構成される機器本体と、
この機器本体の前後面パネルに取付けられ、内面に電気接点を有する凹部を備えた電気部品とを具備する医療機器において、
前記電気部品が取付けられる機器本体の前後面パネルは、下端部よりも上端部が外方へ突出して面方向が斜め下方に傾斜することを特徴とする医療機器。
【請求項２】
上下面、前後面と左右側面などの各面がパネルで構成される機器本体と、
この機器本体の前後面パネルに取付けられ、内面に電気接点を有する凹部を備えた電気部品とを具備する医療機器において、
前記電気部品は、機器本体内部から外方へ向かって斜め下方に傾斜して取付けられることを特徴とする医療機器。
【請求項３】
前記電気部品は、コネクタおよびスイッチの少なくともいずれか一方であることを特徴とする請求項１および請求項２のいずれかに記載の医療機器。
【発明の詳細な説明】
【０００１】
【発明の属する技術分野】
本発明は、たとえば内視鏡装置である医療機器に係り、特に、コネクタやスイッチ等の内面に電気接点を有する凹部を備えた電気部品の取付け構造の改良に関する。
【０００２】
【従来の技術】
医療機器である、たとえば内視鏡装置の光源部を構成する筐体（機器本体）は、上下面、前後面と左右側面などの各面がパネルからなっていて、特に前面パネルには各種のゲージ類や表示灯類あるいはスイッチ類が取付けられている。
【０００３】
図６（Ａ）は、内視鏡装置の光源部を構成する筐体Ｋを後面側から見た斜視図である。
筐体Ｋの後面パネルａの所定の部位には、電源コードｂが電気的に接続される電源コネクタｃと、図示しないテレビモニタに接続される映像入出力用コネクタｄおよび周辺機器に接続される通信用コネクタｅが設けられる。
【０００４】
内視鏡装置の光源部に係らず、一般的な医療機器の筐体Ｋは、左右両側面パネルｆばかりでなく、図示しないゲージ類等が取付けられる前面パネルｇおよび、前記電源コネクタｃが取付けられる後面パネルａともに、筐体Ｋの設置面に対して垂直面をなしている。
【０００５】
このような医療機器では、使用環境によっては筐体Ｋに水滴もしくは薬液等（以下、液体と呼ぶ）が降りかかることがある。医療現場では多くの場合作業者が多忙を極めていて、筐体Ｋに液体が降りかかってもこれを直ちに払拭除去する余裕がなく、必要な全ての作業を終了したあとで行うのが通常である。
【０００６】
筐体Ｋの上面パネルｈや左右側面パネルｆには何らの部品も取付けられておらず、かつ内部に対して閉塞面を形成しているので、これらパネルｈ、ｆに降りかかった液体が筐体Ｋ内部に浸入することはない。
【０００７】
ところが、筐体Ｋの前後面パネルｇ，ａには先に述べたような部品が取付けられているので、降りかかった液体が各パネル面を流下する途中で前記部品を濡らすことは考えられる。
【０００８】
図６（Ｂ）は、内視鏡装置の筐体Ｋにおける電源コネクタｃの取付け部分を拡大して示す断面図である。
前記電源コネクタｃは、筐体Ｋの後面パネルａに取付けられ電気接点ｉを有する凹部ｊと、電源コードｂ先端に設けられ前記凹部ｊの電気接点ｉに差し込まれる図示しない孔部を備えたコネクタ部ｍとから構成される。
【０００９】
前記凹部ｊの電気接点ｉに対してコネクタ部ｍは挿脱自在に差し込まれるので、凹部ｊの内周面とコネクタ部ｍの外周面との間には若干の隙間が存在するようにコネクタ部ｍの外形および凹部ｊの内部は形成されている。
【００１０】
前記後面パネルａに降りかかった液体ｎをそのまま放置した場合、この液体は後面パネルａに沿って流下し、ついには電源コネクタｃに到達する。あるいは、飛沫化した液体が直接、電源コネクタイｃに飛散してくる場合もある。
【００１１】
何れにしても、液体ｎは毛細管現象により凹部ｊ内周面とコネクタ部ｍ外周面と隙間に浸入してしまう。隙間が狭いほど浸入した液体がそのまま留まり易く、さらに後続的に液体が浸入してくると隙間に充満する。
【００１２】
その一方で、前記電気接点ｉはコネクタ部ｍと電気的に接続する必要があるので、これを絶縁被覆することができない。したがって、電気接点ｉ相互が充満する液体ｎによって電気的に導通してしまい、いわゆる漏電状態になる。
【００１３】
この種の事故発生の防止をなす発明が、［特許文献１］に記載されている。この発明では、筐体の後面パネルに電源コードを巻き付け収容するための電源コード巻きを一体に備えていて、コネクタ類を囲んでいる。
【００１４】
たとえば、誤ってこぼれた薬液や雨等が上方からかかっても、これらは前記電源コード巻きに受け止められ、コネクタ類が濡れることがない。すなわち、電源コード巻きが屋根状部材を構成している。
【００１５】
【特許文献１】
特開平５−７２４８９号公報
【００１６】
【発明が解決しようとする課題】
しかしながら、前記特許文献１の発明においては、従来から電源コード巻きを備えていることが前提である医療機器（光源装置）であって、特に電源コード巻きを備えていない場合は、新たに屋根状部材を取付けなければならなず、コストに悪影響を及ぼす。
【００１７】
さらに、電源コードの先端に設けられるコネクタ部は、直状であっても、略Ｌ字状であっても、電源コードとともに後面パネルからの突出量が大となる。このような電源コネクタを完全に覆う屋根状部材として、パネル面からの突出量が極めて大となり外観的に劣ってしまう。
【００１８】
また、筐体Ｋの前面パネルｇにおいては、外観および操作上、後面パネルのように屋根状部材を取付けることができず、ここに液体が降りかかればゲージ類や表示灯類あるいはスイッチ類を確実に濡らす。
【００１９】
特にスイッチ類は、前記コネクタと同様、内面に電気接点を有する凹部（スイッチ本体）を備えていて、パネル面から突出するスイッチ操作部との間に狭小の隙間が存在している。
【００２０】
したがって、スイッチ類に到達した液体が毛細管現象によりスイッチ本体とスイッチ操作部との隙間に浸入し、かつ充満して電気接点相互を電気的に導通させ漏電事故を招く虞れがある。
【００２１】
本発明は前記事情に着目してなされたものであり、その目的とするところは、、新たな部材の追加は不要として、液体がかかった状態を放置したとしても、漏電事故等の発生を防止する医療機器を提供しようとすることにある。
【００２２】
【課題を解決するための手段】
請求項１の発明は、上下面、前後面および左右側面などの各面がパネルで構成される機器本体と、この機器本体の前後面パネルに取付けられ、内面に電気接点を有する凹部を備えた電気部品とを具備する医療機器において、前記電気部品が取付けられる機器本体の前後面パネルは、下端部よりも上端部が外方へ突出して面方向が斜め下方に傾斜することを特徴とする医療機器である。
【００２３】
そして、本請求項１の発明の医療機器では、機器本体の前後面パネルに降りかかった液体は、流下する途中で重力の影響で滴下し易く、電気部品に到達し難い。たとえ電気部品に到達したとしても、内部に浸入し難く、排出し易い。したがって、漏電事故等の発生を防止する。
【００２４】
請求項２の発明は、上下面、前後面と左右側面などの各面がパネルで構成される機器本体と、この機器本体の前後面パネルに取付けられ、内面に電気接点を有する凹部を備えた電気部品とを具備する医療機器において、前記電気部品は、機器本体内部から外面側に向かって斜め下方に傾斜して取付けられることを特徴とする医療機器である。
【００２５】
そして、本請求項２の発明の医療機器では、機器本体の前後面パネルに降りかかった液体が電気部品内部に浸入したとしても、電気部品の取付け姿勢の設定から速やかに外部に出て、漏電事故等の発生を防止する。
【００２６】
請求項３の発明は、前記電気部品は、コネクタおよびスイッチの少なくともいずれか一方であることを特徴とする請求項１および請求項２のいずかに記載の医療機器である。
【００２７】
そして、本請求項３の発明の医療機器では、コネクタおよびスイッチの少なくともいずれか一方に降りかかった液体が内部に浸入したとしても、取付け姿勢の設定から速やかに外部に出て、漏電事故等の発生を防止する。
【００２８】
【発明の実施の形態】
以下、本発明の第１の実施の形態を図１〜図３を参照して説明する。
なお、図１は医療機器である、たとえば内視鏡装置の光源部の側面図であり、図２は光源部の一部を拡大した断面図であり、図３は光源部の他の部分を拡大した断面図である。
【００２９】
内視鏡装置（医療機器）の光源部を構成する筐体（機器本体）１は、上下面１ａ、１ｂ、前後面１ｃ、１ｄおよび左右側面１ｅなどの各面がパネルからなっている。
【００３０】
上下面パネル１ａ、１ｂは筐体１の設置面と並行な水平面をなし、左右側面パネル１ｅは設置面に対して垂直面をなしているが、前後面パネル１ｃ、１ｄは所定方向に傾斜する傾斜面をなす。
【００３１】
すなわち、前面パネル１ｃおよび後面パネル１ｄは、それぞれが下端部よりも上端部が外方へ所定寸法ｓだけ突出していて、面方向として斜め下方に向くよう傾斜している。
【００３２】
前記前面パネル１ｃには、電気部品であるたとえば電源スイッチ２が取付けられているとともに、図示しない各種のゲージ類や表示灯類が取付けられる。後面パネル１ｄには、電気部品であるたとえば電源コネクタ３が取付けられる。
【００３３】
先に電源コネクタ３から説明すると、特に図２に示すように、後面パネル１ｄに取付けられ第１の電気接点４を備えた凹部５と、電源コード６の先端に設けられ前記凹部５の第１の電気接点４に差し込まれる図示しない孔部からなり、凹部に差し込まれたときに、第１の電気接点４と電気的に接続する第２の電気接点を備えたコネクタ部７とから構成される。
【００３４】
後面パネル１ｄの面方向が斜め下方に向いているので、電源コネクタ３自体、すなわち凹部５と、電気接点４およびコネクタ部７の全てが斜め下方に向くことになる。
【００３５】
また、電源コネクタ３は従来から用いられている部品をそのまま使用するので、凹部５の内周面とコネクタ部７の外周面との間には若干の隙間が存在するように、コネクタ部７の外形および凹部５の内部が形成されていることには変わりがない。
【００３６】
一方、前記電源スイッチ２は、特に図３に示すように、前面パネル１ｃに取付けられ図示しない電気接点を備えた凹部であるスイッチ本体８と、このスイッチ本体８に変位自在に支持されるスイッチ操作部９から構成される。
【００３７】
前記スイッチ本体８は前面パネル１ｃ内部に配置されるのに対して、スイッチ操作部９は外部から操作し易いように前面パネル１ｃから突出している。そして、スイッチ操作部９の外周面とスイッチ本体８の内周面との間には狭小の隙間が存在するように形成されていることは、前記電源コネクタ３と同様である。
【００３８】
このようにして構成される内視鏡装置の光源部であって、電源コネクタ３と電源コード６とが電気的に接続されていることから、電源スイッチ２をオン操作すると光源部への電源供給が行なわれる。
【００３９】
何らかの事情で、液体１０が筐体１を構成する各面パネル１ａ〜１ｅに降りかかることがある。上面パネル１ａと左右側面パネル１ｅに液体１０が降りかかっても、これら各面パネル１ａ，１ｅには全く電気部品が取付けられていないので、少しの支障もない。
【００４０】
後面パネル１ｄに液体１０が降りかかりパネル面に沿って流下すると、この液体１０は後面パネル１ｄに取付けられる電源コネクタ３に到達する。あるいは、飛沫化した液体１０が直接、電源コネクタ３に飛散する場合もある。
【００４１】
ところが、後面パネル１ｄはパネル面が斜め下方に向くように傾斜しているので、パネル面に沿って流下する液体は重力の影響により途中で滴下し易く、電源コネクタ３にまでは到達し難い。
【００４２】
たとえ液体１０が電源コネクタ３に到達したとしても、あるいは飛散してきたとしても、電源コネクタ３自体が斜め下方に向いて取付けられているので、凹部５内周面とコネクタ部７外周面との隙間に対する毛細管現象が生じ難く、この隙間に浸入し難い。
【００４３】
電源コネクタ３に到達する液体１０の量が多く、かつ継続する場合は、凹部５内周面とコネクタ部７外周面との隙間に浸入することがある。しかしながら、上述したように電源コネクタ３が斜め下方に向いているので、一旦は前記隙間に浸入したとしても、重力の影響を受けて隙間から早急に排出され易い。
【００４４】
したがって、後面パネル１ｄに降りかかった液体１０、もしくは電源コネクタ３に直接、飛散してきた液体１０による、電源コネクタ３の漏電事故等の発生を防止できる。
【００４５】
一方、前面パネル１ｃに液体１０が降りかかりパネル面に沿って流下すると、この液体１０は前面パネル１ｃに取付けられる電源スイッチ２に到達する。あるいは、飛沫化した液体１０が直接、電源スイッチ２に飛散する場合もある。
【００４６】
ところが、前面パネル１ｃはパネル面が斜め下方に向くように傾斜しているので、パネル面に沿って流下する液体は重力の影響により途中で滴下し易く、電源スイッチ２にまでは到達し難い。
【００４７】
たとえ液体１０が電源スイッチ２に到達したとしても、あるいは飛散してきたとしても、電源スイッチ２自体が斜め下方に向いて取付けられているので、スイッチ本体８内周面とスイッチ操作部９外周面との隙間に対する毛細管現象が生じ難く、この隙間に浸入し難い。
【００４８】
電源スイッチ２に到達する液体１０の量が多く、かつ継続する場合は、スイッチ本体８内周面とスイッチ操作部９外周面との隙間に浸入することがある。しかしながら、電源スイッチ２が斜め下方に向いているので、一旦は前記隙間に浸入したとしても、重力の影響を受けて隙間から早急に排出され易い。
【００４９】
したがって、前面パネル１ｃに降りかかった液体１０、もしくは電源スイッチ２に直接、飛散してきた液体１０による、電源スイッチ２の漏電事故等の発生を防止できる。
【００５０】
図４および図５は、本発明の第２の実施の形態を示すものである。
【００５１】
そして、図４は電源コネクタ２０が取付けられる筐体１Ａの一部断面図であり、図５は電源スイッチ３０が取付けられる筐体１Ａの一部の断面図である。
【００５２】
ここでは、内視鏡装置の電源部の筐体１Ａを構成する後面パネル１ｆと前面パネル１ｇはともに、図示しない左右側面パネルと同様、設置面に対して垂直面をなしている。
【００５３】
後面パネル１ｆに取付けられる電源コネクタ２０は、筐体１Ａ内部から外方へ向かって斜め下方に傾斜して取付けられる。そのため、電源コネクタ２０を構成する電気接点２１と、この電気接点を有する凹部２２と、この凹部の電気接点２１に電気的に接続されるコネクタ部２３はともに、斜め下方に傾斜している。
【００５４】
このことにより、後面パネル１ｆに降りかかった液体１０がパネル面に沿って流下し電源コネクタ２０に到達したとしても、あるいは飛沫化した液体１０が直接、飛散してきても、電源コネクタ２０自体が斜め下方に向いて取付けられているので、凹部２２内周面とコネクタ部２３外周面との隙間に対する毛細管現象が生じ難く、この内部に浸入し難い。
【００５５】
電源コネクタ２０に到達する液体１０の量が多く、かつ継続する場合は、凹部２２内周面とコネクタ部２３外周面との隙間に浸入することがある。しかしながら、電源コネクタ２０が斜め下方に向いているので、一旦は前記隙間に浸入したとしても、重力の影響を受けて隙間から早急に排出され易い。
【００５６】
したがって、後面パネル１ｆに降りかかった液体１０、もしくは電源コネクタ２０に直接、飛散してきた液体１０による、電源コネクタ２０の漏電事故等の発生を防止できる。
【００５７】
一方、前面パネル１ｇに取付けられる電源スイッチ３０は、筐体１Ａ内部から外方へ向かって斜め下方に傾斜して取付けられる。そのため、電源スイッチ３０を構成する電気接点を有するスイッチ本体３１と、このスイッチ本体に可動自在に支持されるスイッチ操作部３２はともに、斜め下方に傾斜している。
【００５８】
このことにより、前面パネル１ｇに降りかかった液体１０がパネル面に沿って流下し電源スイッチ３０に到達したとしても、あるいは飛沫化した液体１０が直接、飛散してきても、電源スイッチ３０自体が斜め下方に向いて取付けられているので、スイッチ本体３１内周面とスイッチ操作部３２外周面との隙間に対する毛細管現象が生じ難く、この内部に浸入し難い。
【００５９】
電源スイッチ３０に到達する液体１０の量が多く、かつ継続する場合は、スイッチ本体３１内周面とスイッチ操作部３２外周面との隙間に浸入することがある。しかしながら、電源スイッチ３０が斜め下方に向いているので、一旦は前記隙間に浸入したとしても、重力の影響を受けて隙間から早急に排出され易い。
【００６０】
したがって、前面パネル１ｇに降りかかった液体１０、もしくは電源スイッチ３０に直接、飛散してきた液体１０による、電源スイッチ３０の漏電事故等の発生を防止できる。
【００６１】
なお、筐体１Ａを構成する後面パネル１ｆを設置面に対して垂直面とした場合で、電源コネクタ２０の凹部２２は水平方向に向き、ここに設けられる電気接点２１のみ斜め下方に傾斜しているものも適用範囲に含まれる。
【００６２】
また、何れの電源コネクタ３，２０も電気接点４，２１が凹部５，２２に設けられ、コネクタ部７，２３に前記電気接点が差し込まれる孔部を備えた構成としたが、前記コネクタ部７，２３に電気接点が突設され、凹部５，２２には電気接点が差し込まれる孔部からなる電気接点を備えた構成の電源コネクタであっても、同様の作用効果が得られる。
【００６３】
また、ここではコネクタとして電源コネクタ３，２０に関して説明したが、これに限定されるものではなく、たとえば映像の入出力のための映像用コネクタや、他の周辺機器との通信を行うための通信用コネクタであっても適用でき、全て同様の作用効果が得られる。
【００６４】
また、スイッチにおいて電源スイッチ２，３０として説明したが、この他のスイッチであっても、電源コネクタ３，２０と同様、内面に電気接点を有する凹部を備えた電気部品であるので、これらも適用可能である。
【００６５】
さらに、本発明は前記実施の形態に限定されるものではなく、本発明の要旨を逸脱しない範囲で種々変形実施できることは勿論である。
【００６６】
つぎに、本発明の他の特徴的な技術事項を下記の通り付記する。
【００６７】
記
（付記項１）  電気接点を有したコネクタと、電気接点を有したスイッチと、を少なくとも備える機器において、これらコネクタまたは、スイッチが設けられている筐体の面が、筐体設置時において垂直より筐体外側へ傾いている事を特徴とする内視鏡装置。
【００６８】
（付記項２）  前記コネクタまたは、スイッチが設けられている筐体の面が、フロントパネルであることを特徴とする請求項１記載の内視鏡装置。
【００６９】
（付記項３）  前記コネクタまたは、スイッチが設けられている筐体の面が、リアルパネルであることを特徴とする請求項１記載の内視鏡装置。
【００７０】
（付記項４）  前記コネクタが、機器へ電源を供給する電源コネクタであることを特徴とする請求項１記載の内視鏡装置。
【００７１】
（付記項５）  前記コネクタが、映像の入出力コネクタであることを特徴とする請求項１記載の内視鏡装置。
【００７２】
（付記項６）  前記コネクタが、他の機器との通信を行うための通信コネクタであることを特徴とする請求項１記載の内視鏡装置。
【００７３】
（付記項７）  前記スイッチが、機器の電源供給を制御する電源スイッチであることを特徴とする請求項１記載の内視鏡装置。
【００７４】
【発明の効果】
以上説明したように請求項１の発明によれば、電気部品を取付ける機器本体のパネル面を斜め下方に傾斜させることにより、パネルに降りかかった液体から電気部品の電気接点を保護でき、安全性および信頼性の向上を得る。
【００７５】
請求項２の発明によれば、電気部品を斜め下方に傾斜した取付けをなすことにより、電気部品に降りかかった液体から電気接点を保護でき、安全性および信頼性の向上を得る。
【００７６】
請求項３の発明によれば、コネクタおよびスイッチの少なくともいずれか一方に降りかかった液体が内部に浸入したとしても、取付け姿勢の設定から速やかに外部に出て、漏電事故等の発生を防止し、安全性および信頼性の向上を得る。
【図面の簡単な説明】
【図１】本発明の第１の実施の形態を示すもので、医療機器である内視鏡装置電源部の側面図。
【図２】同実施の形態を示すもので、内視鏡装置電源部の一部の側面図。
【図３】同実施の形態を示すもので、内視鏡装置電源部の他の一部を拡大した断面図。
【図４】本発明の第２の実施の形態を示すもので、医療機器である内視鏡装置電源部の一部の側面図。
【図５】同実施の形態を示すもので、内視鏡装置電源部の他の一部を拡大した断面図。
【図６】（Ａ）は従来の内視鏡装置電源部の背面側から見た斜視図、（Ｂ）は一部の断面図。
【符号の説明】
１ｃ，１ｇ…前面パネル、
１ｄ、１ｆ…後面パネル、
１，１Ａ…筐体（機器本体）、
４，２１…電気接点、
５，２２…凹部、
３，２０…電源コネクタ（電気部品）、
８，３１…スイッチ本体（凹部）、
９，３２…スイッチ操作部、
２，３０…電源スイッチ（電気部品）。
【図１】
2004350760.tif 000003
【図２】
2004350760.tif 000004
【図３】
2004350760.tif 000005
【図４】
2004350760.tif 000006
【図５】
2004350760.tif 000007
【図６】
2004350760.tif 000008